(57)【特許請求の範囲】
【請求項１】
不透明な材質から形成される下筒と、
透明な材質から形成され、前記下筒に同軸に前記下筒に嵌め込まれ、直立姿勢の前記下筒の上端から上方に延びる中筒と、
不透明な材質から形成され、前記中筒に同軸に取り外されて前記中筒越しに視覚的に収容物を提示する第１位置、および、前記中筒に同軸に前記下筒の上端に結合され、前記中筒を覆い隠す第２位置の間で変位自在に配置される上筒と
を備えることを特徴とする容器。
【請求項２】
請求項１に記載の容器において、前記下筒と前記上筒とは同一の外径を有することを特徴とする容器。
【発明の詳細な説明】
【技術分野】
【０００１】
本発明は、内側に収容物を収容する容器に関する。
【背景技術】
【０００２】
特許文献１および特許文献２は、切り花を収容する箱体を開示する。箱体はダンボール紙から四角柱体に形成される。扉の開閉に応じて花は出し入れされることができる。扉が開くと、中の収容物は提示されることができる。扉が閉じると、収容物は目隠しされることができる。
【先行技術文献】
【特許文献】
【０００３】
【特許文献１】特許第４０６０２６６号公報
【特許文献２】実開平５−１９１６９号公報
【発明の概要】
【発明が解決しようとする課題】
【０００４】
ダンボール紙は不透明であることから、扉が開放されると同時に初めて花は観察されることができる。したがって、こうした箱体が花のプレゼントに用いられると、受取人のわくわく感は作り出されることができる。とはいえ、扉では、必ず縁に切れ目が生成されることから、扉の外縁が本体の側面から浮き上がってしまう。扉はぱたぱたとはためいてしまう。扉の外縁と本体の側面との間で隙間の解消は難しい。意匠性は低下する。
【０００５】
本発明は、扉を不要としながら収容物の提示および目隠しを実現することができる容器を提供することを目的とする。
【課題を解決するための手段】
【０００６】
本発明の第１側面によれば、不透明な材質から形成される下筒と、透明な材質から形成され、前記下筒に同軸に前記下筒に嵌め込まれ、直立姿勢の前記下筒の上端から上方に延びる中筒と、不透明な材質から形成され、前記中筒に同軸に取り外し自在に前記下筒の上端に結合され、前記中筒を覆い隠す上筒とを備える容器は提供される。
【０００７】
中筒の内側に収容物は収容されることができる。中筒の外周に上筒が被せられると、収容物は目隠しされることができる。上筒が取り外されると、収容物は透明な中筒を通して視覚的に提示されることができる。上筒の取り外しまで収容物は目隠しされるので、こうした容器がプレゼントに用いられると、受取手のわくわく感は作り出されることができる。こうして扉を不要としながら収容物の提示および目隠しは実現されることができる。その後、受取手は運搬にあたって再び中筒の外周に上筒を被せることができる。このとき、中筒は、下筒に結合される上筒の動きを案内することができる。上筒が動くとき、上筒と収容物との干渉は回避されることができる。上筒の結合にあたって収容物の破損は回避されることができる。こうした容器は例えば切り花の運搬に重宝されることができる。
【０００８】
前記下筒と前記上筒とは同一の外径を有すればよい。下筒に上筒が結合されると、上筒および下筒は１つの筒体として観察されることから、良好な意匠性は確保されることができる。
【発明の効果】
【０００９】
以上のように、本発明によれば、扉を不要としながら収容物の提示および目隠しを実現することができる容器は提供されることができる。
【図面の簡単な説明】
【００１０】
【図１】本発明に係る容器の外観を概略的に示す正面図である。
【図２】第１実施形態に係る容器の分解斜視図である。
【図３】第２実施形態に係る容器の分解斜視図である。
【発明を実施するための形態】
【００１１】
以下、添付図面を参照しつつ本発明の実施形態を説明する。
【００１２】
図１は本発明の第１実施形態に係る容器１１の外観を概略的に示す。容器１１は、不透明な材質から形成される下筒１２と、不透明な材質から形成され、直立姿勢の下筒１２の上端１２ａに結合される上筒１３とを備える。下筒１２は円筒体に形成される。直立姿勢の下筒１２では円筒体の中心軸Ｌｘは重力方向に一致する。
【００１３】
上筒１３は下筒１２に同軸に結合される。上筒１３と下筒１２とは同一の外径を有することから、下筒１２の円筒面（外周面）と上筒１３の円筒面（外周面）とは面一に広がり連続する。下筒１２に上筒１３が結合されると、下筒１２および上筒１３は１本の円筒体を構成する。下筒１２の下端には下筒１２の内空間を塞ぐ底板１４が結合される。上筒１３の上端には上筒１３の内空間を塞ぐ天板１５が結合される。ここでは、下筒１２および上筒１３はダンボール紙や厚紙から成形される。
【００１４】
下筒１２の上端１２ａは例えば中心軸Ｌｘに交差する１仮想平面で仕切られることができる。仮想平面は中心軸Ｌｘに直交してもよく特定の角度で傾斜してもよい。上筒１３の下端１３ａは中心軸Ｌｘ回りに全周にわたって下筒１２の上端１２ａに上方から重ねられる。上筒１３の下端１３ａは下筒１２の上端１２ａに密に重なって１境界線を描いてもよい。その他、上筒１３および下筒１２の境界には周方向に連続または不連続の溝が配置されてもよい。上筒１３は軸方向（反重力方向）に引き上げられて下筒１２から取り外されることができる。
【００１５】
図２に示されるように、容器１１は、下筒１２に同軸に下筒１２に嵌め込まれ、直立姿勢の下筒１２の上端１２ａから上方に延びる中筒１７をさらに備える。中筒１７は透明な材質から形成される。透明な材質には例えばＰＥＴ（ポリエチレンテレフタラート）樹脂やアクリル樹脂、ポリカーボネートといった樹脂材のほかガラスといった無機材が用いられることができる。中筒１７の内側に収容空間は区画される。中筒１７の下端には下筒１２内で収容空間を塞ぐ底板が結合される。中筒１７の上端は例えば中心軸Ｌｘに直交する仮想平面で仕切られる。収容空間は中筒１７の上端で開放される。収容空間に収容物は配置される。ここでは、収容空間には切り花１８が配置される。切り花１８は透明な中筒１７越しに視覚的に提示されることができる。下筒１２に上筒１３が結合されると、上筒１３は中筒１７を覆い隠す。切り花１８は目隠しされる。
【００１６】
中筒１７の嵌め込みにあたって下筒１２の内空間には嵌め合い筒１９が密に差し込まれる。こうして嵌め合い筒１９は下筒１２に固定される。嵌め合い筒１９は下筒１２に同軸の円筒体で形成される。嵌め合い筒１９の外周面と下筒１２の上端１２ａとで環状の段差が形成される。
【００１７】
嵌め合い筒１９の内側に中筒１７は密に嵌め込まれる。こうして中筒１７は下筒１２に固定される。中筒１７の外周面と嵌め合い筒１９の上端とで環状の段差は形成される。嵌め合い筒１９はダンボール紙や厚紙から成形されることができる。嵌め合い筒１９は下筒１２と同一の材質から成形されればよい。嵌め合い筒１９は下筒１２に一体化されることができる。下筒１２および上筒１３の結合にあたって上筒１３の下端１３ａから上筒１３内に嵌め合い筒１９は密に抜き差し自在に差し込まれる。こうして上筒１３は下筒１２に固定される。
【００１８】
中筒１７の内側に切り花１８は収容されることができる。このとき、切り花１８は、重力方向に沿って直立する主軸１８ａと、主軸１８ａの上端に結合される花１８ｂと、主軸１８ａから延びる側軸１８ｃの自由端に結合される葉１８ｄとを有する。
【００１９】
主軸１８ａには、中心軸Ｌｘに直交する仮想平面内で主軸１８ａの位置を調整する固定具２１が連結される。固定具２１は、主軸１８ａに巻き付けられる針金２２で主軸１８ａに結合される中心材２１ａと、中心材２１ａから中心軸Ｌｘの遠心方向に延びて中筒１７の内面に接触する複数の腕材２１ｂとを有する。腕材２１ｂは、例えば２本であれば中心軸Ｌｘ回りに１８０度の間隔で配置され、例えば３本であれば中心軸Ｌｘ回りに１２０度の間隔で配置され、４本であれば中心軸Ｌｘ回りに９０度の間隔で配置されればよい。固定具２１は例えば中心軸Ｌｘに直交する仮想平面に沿った姿勢を維持することができる。中心材21aは針金２２に代えて紐で主軸１８ａに縛り付けられてもよい。
【００２０】
主軸１８ａの下端には、主軸１８ａの切り口に水分を補給する補水具２３が装着される。補水具２３は、下方から主軸１８ａの下端を覆う袋体２３ａと、袋体２３ａに収容される多孔質体２３ｂとを有する。多孔質体２３ｂは毛細管現象の働きで水を吸い込むことができる。多孔質体２３ｂに主軸１８ａの切り口は接触する。多孔質体２３ｂに保持される水は切り口から主軸１８ａに吸い上げられることができる。袋体２３ａは例えば水に不透過な樹脂材その他から形成されることができる。多孔質体２３ｂはセラミックスや樹脂、金属その他の焼結体から形成されることができる。
【００２１】
中筒１７の外周に上筒１３が被せられると、切り花１８は目隠しされることができる。上筒１３が取り外されると、切り花１８は透明な中筒１７を通して視覚的に観察者に提示されることができる。上筒１３の取り外しまで切り花１８は目隠しされるので、こうした容器１１がプレゼントに用いられると、受取手のわくわく感は作り出されることができる。こうして扉を不要としながら切り花１８の提示および目隠しは実現されることができる。
【００２２】
その後、受取手は運搬にあたって再び中筒１７の外周に上筒１３を被せることができる。このとき、中筒１７は、下筒１２に結合される上筒１３の動きを案内することができる。上筒１３が動くとき、上筒１３と切り花１８との干渉は回避されることができる。上筒１３の結合にあたって切り花１８の破損は回避されることができる。こうした容器１１は切り花１８の運搬に重宝される。
【００２３】
本実施形態では、下筒１２と上筒１３とは同一の外径を有する。下筒１２に上筒１３が結合されると、上筒１３および下筒１２は１つの筒体として観察されることから、良好な意匠性は確保されることができる。
【００２４】
図３に示されるように、第２実施形態に係る容器１１ａは、前述と同様な下筒１２および上筒１３に加えて、下筒１２に同軸に下筒１２に嵌め込まれ、直立姿勢の下筒１２の上端１２ａから上方に延びる中筒２６を備える。中筒２６は、下端から上方に延びて均一な外径を有する嵌め合い域２６ａと、嵌め合い域２６ａの上端から上方に延びて、上方にいくにつれて先細るテーパー域２６ｂとを有する。中筒２６は透明な材質から形成される。透明な材質には例えばＰＥＴ（ポリエチレンテレフタラート）樹脂やアクリル樹脂、ポリカーボネートといった樹脂材のほかガラスといった無機材が用いられることができる。中筒２６の内側に収容空間は区画される。中筒２６の下端には下筒１２内で収容空間を塞ぐ底板が結合される。中筒２６の上端は例えば中心軸Ｌｘに直交する仮想平面で仕切られる。収容空間は中筒２６の上端で開放される。収容空間には切り花１８が配置される。切り花１８は透明な中筒２６越しに視覚的に提示されることができる。下筒１２に上筒１３が結合されると、上筒１３は中筒２６を覆い隠す。切り花１８は目隠しされる。
【００２５】
中筒２６は下筒１２の内空間に密に差し込まれる。こうして中筒２６は下筒１２に固定される。このとき、中筒２６の嵌め合い域２６ａは下筒１２の上端１２ａよりも決められた大きさで上方に広がる。下筒１２および上筒１３の結合にあたって上筒１３の下端１３ａから上筒１３内に中筒２６は挿入される。上筒１３に中筒２６の嵌め合い域２６ａが密に差し込まれると、上筒１３は下筒１２に固定される。第２実施形態では嵌め合い筒は省略されることができる。その一方で、中筒２６のテーパー域２６ｂでは中筒２６の差し込みにあたって中筒２６と上筒１３との干渉は回避されることができる。下筒１２に上筒１３が結合されると、下筒１２および上筒１３は１本の円筒体を構成する。本実施形態では嵌め合い域２６ａおよいｂテーパー域２６ｂは継ぎ目なく連続するので、上筒１３が取り外された際に見栄えは高められることができる。
【符号の説明】
【００２６】
１１…容器、１２…下筒、１３…上筒、１７…中筒。
【要約】
【課題】扉を不要としながら収容物の提示および目隠しを実現することができる容器を提供する。
【解決手段】容器１１は、不透明な材質から形成される下筒１２と、透明な材質から形成され、下筒１２に同軸に下筒１２に嵌め込まれ、直立姿勢の下筒１２の上端から上方に延びる中筒１７と、不透明な材質から形成され、中筒１７に同軸に取り外し自在に下筒１２の上端に結合され、中筒１７を覆い隠す上筒１３とを備える。
【選択図】図２【図１】
0006913918.tif 000002
【図２】
0006913918.tif 000003
【図３】
0006913918.tif 000004